(57)【特許請求の範囲】
【請求項１】
磁石を備える相手側コネクタと前後方向に沿って嵌合可能なコネクタであって、
前記コネクタは、磁性金属からなる維持部材を備えており、
前記維持部材は、平面部と、突出部とを有しており、
前記平面部は、前記前後方向と交差しており、
前記突出部は、前記平面部から前記前後方向において前方に突出しており、
前記コネクタと前記相手側コネクタとが互いに嵌合した嵌合状態にあるとき、前記平面部は、前記前後方向において前記磁石と対向しており、且つ、前記突出部の少なくとも一部は、前記前後方向と直交する所定平面において前記磁石の側方に位置して、前記磁石を少なくとも部分的に囲んでおり、それによって、前記磁石によって生じた磁束の一部が前記平面部と前記突出部とを経由して前記磁石に回帰する
コネクタ。
【請求項２】
請求項１記載のコネクタであって、
前記突出部の前記前後方向におけるサイズは、前記磁石の前記前後方向におけるサイズの１／２以上である
コネクタ。
【請求項３】
請求項１又は請求項２記載のコネクタであって、
前記維持部材は、側壁部を有しており、
前記突出部は、前記側壁部の一部であり、
前記側壁部は、前記平面部から前記前後方向において前方に突出しており、
前記平面部と前記側壁部とは、受容部を規定しており、
前記コネクタと前記相手側コネクタとが前記嵌合状態にあるとき、前記受容部は、前記相手側コネクタを部分的に受容しており、且つ、前記側壁部の少なくとも一部は、前記所定平面において前記磁石を三方から囲んでいる
コネクタ。
【請求項４】
請求項３記載のコネクタであって、
前記維持部材は、フランジを有しており、
前記フランジは、前記前後方向における前記側壁部の前端に設けられており、前記前後方向と交差している
コネクタ。
【請求項５】
請求項１乃至請求項４のいずれかに記載のコネクタと嵌合可能な、前記磁石を備えた前記相手側コネクタであって、
前記相手側コネクタは、前記コネクタと嵌合する側の端に位置する嵌合端を有している
相手側コネクタ。
【請求項６】
請求項５記載の相手側コネクタであって、
前記相手側コネクタは、ヨークを備えており、
前記ヨークと前記磁石とは、前記前後方向に並んでおり、
前記磁石は、前記ヨークよりも前記嵌合端側に位置している
相手側コネクタ。
【請求項７】
請求項６記載の相手側コネクタであって、
前記相手側コネクタは、相手側ハウジングを備えており、
前記ヨークは、前記相手側ハウジングに嵌め込まれて保持されており、
前記磁石は、磁力によって前記ヨークに吸着されている
相手側コネクタ。
【請求項８】
請求項６又は請求項７記載の相手側コネクタであって、
前記磁石は、前記前後方向において互いに反対側に位置する嵌合側面と反対面とを有しており、
前記反対面は、前記前後方向において前記嵌合側面と前記ヨークとの間に位置しており、
前記磁石は、前記所定平面において、前記嵌合側面から前記反対面に向かって広がっている
相手側コネクタ。
【請求項９】
請求項５乃至請求項８のいずれかに記載の相手側コネクタであって、
前記嵌合端は、前記前後方向において前記磁石を超えて突出している
相手側コネクタ。
【請求項１０】
請求項５乃至請求項９のいずれかに記載の相手側コネクタであって、
前記相手側コネクタは、非磁性体からなる相手側シェルを備えている
相手側コネクタ。
【請求項１１】
請求項１乃至請求項４のいずれかに記載のコネクタと、請求項５乃至請求項１０のいずれかに記載の相手側コネクタとを備えた
コネクタ組立体。
【請求項１２】
請求項１１記載のコネクタ組立体であって、
前記コネクタは、複数のコンタクトと、キーとを備えており、
前記コンタクトは、前記前後方向と直交するピッチ方向に配置されており、
前記キーは、前記ピッチ方向において、前記コネクタの中間部に設けられており、
前記相手側コネクタは、相手側キーを備えており、
前記嵌合状態において、前記キーと前記相手側キーとが係合する
コネクタ組立体。
【発明の詳細な説明】
【技術分野】
【０００１】
本発明は、相手側コネクタと嵌合可能なコネクタであって、相手側コネクタとの嵌合状態を磁力によって維持するコネクタに関する。
【背景技術】
【０００２】
例えば、特許文献１には、この種のコネクタ及び相手側コネクタが開示されている。
【０００３】
図１７を参照すると、特許文献１の電流／ データ伝達装置（コネクタ）９１０は、電流／ データ受容装置（相手側コネクタ）９５０と嵌合可能である。コネクタ９１０は、磁気部品９１２を備えており、相手側コネクタ９５０は、磁気部品９５２を備えている。例えば、磁気部品９１２は鉄芯からなり、磁気部品９５２は磁石からなる。コネクタ９１０と相手側コネクタ９５０とは、磁気部品９１２と磁気部品９５２との間の磁力（Ｆｍ）によって嵌合状態に維持される。
【先行技術文献】
【特許文献】
【０００４】
【特許文献１】特表２００６―５１５１０２号公報
【発明の概要】
【発明が解決しようとする課題】
【０００５】
図１７を参照すると、コネクタ９１０と相手側コネクタ９５０との嵌合状態を、より確実に維持するためには、磁力（Ｆｍ）を高める必要がある。このためには、磁気部品９５２のサイズを大きくする必要がある。場合によっては、相手側コネクタ９５０に、磁気部品９５２を四方から囲む鉄製のケーシング９５４を設ける必要がある。磁気部品９５２のサイズの増大やケーシング９５４の設置により、相手側コネクタ９５０のサイズは大きくなる。これによりコネクタ９１０のサイズも大きくなる。
【０００６】
そこで、本発明は、相手側コネクタとの嵌合状態を磁力によって維持するコネクタであって、サイズを大きくすることなく磁力を高めることが可能なコネクタを提供することを目的とする。
【課題を解決するための手段】
【０００７】
本発明は、第１のコネクタとして、
磁石を備える相手側コネクタと前後方向に沿って嵌合可能なコネクタであって、
前記コネクタは、磁性金属からなる維持部材を備えており、
前記維持部材は、平面部と、突出部とを有しており、
前記平面部は、前記前後方向と交差しており、
前記突出部は、前記平面部から前記前後方向において前方に突出しており、
前記コネクタと前記相手側コネクタとが互いに嵌合した嵌合状態にあるとき、前記平面部は、前記前後方向において前記磁石と対向しており、且つ、前記突出部の少なくとも一部は、前記前後方向と直交する所定平面において前記磁石の側方に位置している
コネクタを提供する。
【０００８】
また、本発明は、第２のコネクタとして、第１のコネクタであって、
前記突出部の前記前後方向におけるサイズは、前記磁石の前記前後方向におけるサイズの１／２以上である
コネクタを提供する。
【０００９】
また、本発明は、第３のコネクタとして、第１又は第２のコネクタであって、
前記維持部材は、側壁部を有しており、
前記突出部は、前記側壁部の一部であり、
前記側壁部は、前記平面部から前記前後方向において前方に突出しており、
前記平面部と前記側壁部とは、受容部を規定しており、
前記コネクタと前記相手側コネクタとが前記嵌合状態にあるとき、前記受容部は、前記相手側コネクタを部分的に受容しており、且つ、前記側壁部の少なくとも一部は、前記所定平面において前記磁石を三方から囲んでいる
コネクタを提供する。
【００１０】
また、本発明は、第４のコネクタとして、第３のコネクタであって、
前記維持部材は、フランジを有しており、
前記フランジは、前記前後方向における前記側壁部の前端に設けられており、前記前後方向と交差している
コネクタを提供する。
【００１１】
また、本発明は、第１の相手側コネクタとして、
第１乃至第４のいずれかのコネクタと嵌合可能な、前記磁石を備えた前記相手側コネクタであって、
前記相手側コネクタは、前記コネクタと嵌合する側の端に位置する嵌合端を有している
相手側コネクタを提供する。
【００１２】
また、本発明は、第２の相手側コネクタとして、第１の相手側コネクタであって、
前記相手側コネクタは、ヨークを備えており、
前記ヨークと前記磁石とは、前記前後方向に並んでおり、
前記磁石は、前記ヨークよりも前記嵌合端側に位置している
相手側コネクタを提供する。
【００１３】
また、本発明は、第３の相手側コネクタとして、第２の相手側コネクタであって、
前記相手側コネクタは、相手側ハウジングを備えており、
前記ヨークは、前記相手側ハウジングに嵌め込まれて保持されており、
前記磁石は、磁力によって前記ヨークに吸着されている
相手側コネクタを提供する。
【００１４】
また、本発明は、第４の相手側コネクタとして、第２又は第３の相手側コネクタであって、
前記磁石は、前記前後方向において互いに反対側に位置する嵌合側面と反対面とを有しており、
前記反対面は、前記前後方向において前記嵌合側面と前記ヨークとの間に位置しており、
前記磁石は、前記所定平面において、前記嵌合側面から前記反対面に向かって広がっている
相手側コネクタを提供する。
【００１５】
また、本発明は、第５の相手側コネクタとして、第１乃至第４のいずれかの相手側コネクタであって、
前記嵌合端は、前記前後方向において前記磁石を超えて突出している
相手側コネクタを提供する。
【００１６】
また、本発明は、第６の相手側コネクタとして、第１乃至第５のいずれかの相手側コネクタであって、
前記相手側コネクタは、非磁性体からなる相手側シェルを備えている
相手側コネクタを提供する。
【００１７】
また、本発明は、第１のコネクタ組立体として、
第１乃至第４のいずれかのコネクタと、第５乃至第１０のいずれかの相手側コネクタとを備えた
コネクタ組立体を提供する。
【００１８】
また、本発明は、第２のコネクタ組立体として、第１のコネクタ組立体であって、
前記コネクタは、複数のコンタクトと、キーとを備えており、
前記コンタクトは、前記前後方向と直交するピッチ方向に配置されており、
前記キーは、前記ピッチ方向において、前記コネクタの中間部に設けられており、
前記相手側コネクタは、相手側キーを備えており、
前記嵌合状態において、前記キーと前記相手側キーとが係合する
コネクタ組立体を提供する。
【発明の効果】
【００１９】
本発明によれば、嵌合状態において、磁性金属からなる維持部材の平面部が磁石と対向し、且つ、維持部材の突出部の少なくとも一部が、磁石の側方に位置する。この構造により、コネクタの維持部材と相手側コネクタの磁石との間の磁力を高めることができる。また、維持部材としては、例えば、相手側コネクタを受容するために既に設けられている部材を利用できる。これにより、コネクタのサイズを大きくすることなく磁力を高めることができる。
【図面の簡単な説明】
【００２０】
【図１】本発明の実施の形態によるコネクタ組立体を示す斜視図である。ここで、コネクタ組立体のコネクタと相手側コネクタとは未嵌合状態にある。
【図２】図１のコネクタが組み込まれた携帯機器と、図１の相手側コネクタが組み込まれたプラグハーネスとを示す斜視図である。
【図３】図１のコネクタ組立体を示す他の斜視図である。
【図４】図１のコネクタ組立体を示す斜視図である。ここで、コネクタと相手側コネクタとは嵌合状態にある。
【図５】図１のコネクタを示す分解斜視図である。
【図６】図１の相手側コネクタを示す分解斜視図である。
【図７】図１の相手側コネクタを示す斜視図である。ここで、相手側シェルは、未だ取り付けられていない。
【図８】図７の相手側コネクタの磁石を示す斜視図である。
【図９】図７の相手側コネクタのヨークを示す斜視図である。
【図１０】図７の相手側コネクタの相手側コンタクトを示す斜視図である。
【図１１】図１の相手側コネクタを示す斜視図である。ここで、磁石、ヨーク及び相手側コンタクトの隠れた部位を破線で描画している。
【図１２】図１の相手側コネクタを示す斜視図である。ここで、相手側コネクタの相手側コンタクトは、プリント配線板と接続されている。
【図１３】図４のコネクタ組立体を示す上面図である。
【図１４】図４のコネクタ組立体を示す正面図である。
【図１５】図１３のコネクタ組立体をＸＶ−ＸＶ線に沿って示す断面図である。
【図１６】図１４のコネクタ組立体をＸＶＩ−ＸＶＩ線に沿って示す断面図である。ここで、コネクタの突出部の近傍（破線で囲んだ部分）を拡大して描画している。
【図１７】特許文献１のコネクタ組立体を示す断面図である。
【発明を実施するための形態】
【００２１】
図１及び図４を参照すると、本発明の実施の形態によるコネクタ組立体１０は、コネクタ２０と、相手側コネクタ４０とを備えている。図２を参照すると、コネクタ２０は、例えば携帯機器８００のような電子機器に組み込まれて使用され、相手側コネクタ４０は、例えばプラグハーネス８５０に組み込まれて使用される。
【００２２】
図１乃至図４から理解されるように、コネクタ２０は、相手側コネクタ４０と前後方向（Ｘ方向）に沿って嵌合可能である。図２に示された使用例においては、コネクタ２０が相手側コネクタ４０と嵌合すると、携帯機器８００は、プラグハーネス８５０を介して外部機器（図示せず）と電気的に接続する。本実施の形態によれば、コネクタ２０は、レセプタクルであり、相手側コネクタ４０は、プラグである。但し、本発明は、これに限られない。例えば、本発明は、プラグであるコネクタとレセプタクルである相手側コネクタとを備えるコネクタ組立体にも適用可能又は応用可能である。
【００２３】
図５を参照すると、コネクタ２０は、絶縁体からなるハウジング２００と、弾性体からなるシール部材（テープ）２５０と、導電体からなる複数のコンタクト２９０と、鉄などの磁性金属からなる維持部材３００とを備えている。
【００２４】
図１及び図５に示されるように、ハウジング２００は、横方向（Ｙ方向）に長く上下方向（Ｚ方向）に短い平板形状を有している。図５に示されるように、ハウジング２００は、端面２０２と凸部２１０とを有している。また、ハウジング２００には、２つの凹み２２０が形成されている。端面２０２は、Ｘ方向と直交する所定平面（ＹＺ平面）と平行な平面である。凸部２１０は、端面２０２から前方に（＋Ｘ方向に）突出している。凹み２２０は、ハウジング２００のＹ方向における両端に夫々設けられており、Ｙ方向内側に凹んでいる。
【００２５】
図５から理解されるように、本実施の形態によるシール部材２５０は、ＹＺ平面と平行に延びる四角のシートである。シール部材２５０の中央部分には、凸部２１０に対応する孔が形成されている。シール部材２５０は、端面２０２に貼り付けられている。
【００２６】
図１乃至図５を参照すると、コンタクト２９０は、Ｙ方向（ピッチ方向）に配置されて、ハウジング２００に保持されている。詳しくは、コンタクト２９０の夫々は、接点部２９２と、接続部２９４とを有している。接点部２９２は、ＹＺ平面と平行な平面形状を有しており、ハウジング２００の凸部２１０において外部に露出している。接続部２９４は、ハウジング２００の後端（−Ｘ側の端）から上方に（＋Ｚ方向に）突出している。コネクタ２０の使用時において、接続部２９４は、携帯機器８００の回路基板（図示せず）に接続される。
【００２７】
図５に示されるように、維持部材３００は、平面部３１０と、側壁部３２０と、キー３３０と、フランジ３４０と、２つの脚部３５０とを有している。平面部３１０は、平板形状を有しており、側壁部３２０は、Ｘ方向に延びる角筒形状を有している。側壁部３２０は、平面部３１０からＸ方向において前方に突出しており、これにより、平面部３１０と側壁部３２０とは、受容部２２を規定している。換言すれば、受容部２２は、平面部３１０と側壁部３２０とによって囲まれた空間である。
【００２８】
図１及び図４から理解されるように、コネクタ２０と相手側コネクタ４０とが互いに嵌合した嵌合状態にあるとき、受容部２２は、相手側コネクタ４０を部分的に受容している。詳しくは、嵌合状態（図４の状態）において、受容部２２は、相手側コネクタ４０の−Ｘ側の端部を受容する。本実施の形態において、受容部２２の底部である平面部３１０は、Ｘ方向と直交している。但し、平面部３１０は、Ｘ方向と少し斜交していてもよい。換言すれば、平面部３１０は、Ｘ方向と交差していればよい。また、側壁部３２０は、例えばＹＺ平面において広がりつつ前方に突出していてもよい。
【００２９】
図１及び図５に示されるように、キー３３０は、側壁部３２０のうちの上側（＋Ｚ側）の部位のＹ方向における中間部に設けられている。換言すれば、コネクタ２０は、キー３３０を備えており、キー３３０は、Ｙ方向においてコネクタ２０の中間部に設けられている。キー３３０は、側壁部３２０から受容部２２内に張り出している。
【００３０】
図２及び図５に示されるように、フランジ３４０は、側壁部３２０のＸ方向における前端（＋Ｘ側の端）に設けられており、ＹＺ平面において側壁部３２０を囲んでいる。本実施の形態において、フランジ３４０は、Ｘ方向と直交する四角の環である。コネクタ２０の使用時において、フランジ３４０は、防水部材（図示せず）を使用して携帯機器８００の筐体の内壁に取り付けられる。フランジ３４０は、筐体に適切に取り付け可能な限り、本実施の形態と異なった形状及びサイズを有していてもよい。例えば、フランジ３４０は、Ｘ方向と少し斜交していてもよい。換言すれば、フランジ３４０は、Ｘ方向と交差していればよい。
【００３１】
図１及び図５に示されるように、脚部３５０は、維持部材３００のＹ方向における両側部に夫々設けられており、側壁部３２０から後方に（−Ｘ方向に）延びている。また、図５に示されるように、平面部３１０には、凸部２１０と対応する孔３１２が形成されている。孔３１２は、平面部３１０をＸ方向に貫通している。
【００３２】
図１及び図５を参照すると、コネクタ２０の使用時において、維持部材３００の脚部３５０は、ハウジング２００の凹み２２０を夫々通過して後方に延びており、ハウジング２００の凸部２１０は、孔３１２の内部に配置されている。また、シール部材２５０は、ハウジング２００と維持部材３００との間を防水している。シール部材２５０は、この防水機能を発揮できる限り、テープでなくてもよい。
【００３３】
図６を参照すると、相手側コネクタ４０は、絶縁体からなる相手側ハウジング４００と、非磁性金属からなる相手側シェル５００と、導電体からなる複数の相手側コンタクト６００と、２つの磁石７００と、鉄などの磁性金属からなる２つのヨーク７５０とを備えている。
【００３４】
図１及び図３を参照すると、相手側コネクタ４０は、嵌合端４２を有している。嵌合端４２は、コネクタ２０と嵌合する側の端（−Ｘ側の端）に位置しており、嵌合状態（図４の状態）において、受容部２２に受容される。本実施の形態においては、相手側シェル５００のコネクタ２０側の端（−Ｘ側の端）は、Ｘ方向において相手側ハウジング４００の−Ｘ側の端と同じ位置にある。このため、本実施の形態による嵌合端４２は、相手側シェル５００の−Ｘ側の端に位置しており、且つ、相手側ハウジング４００の−Ｘ側の端に位置している。但し、例えば、相手側シェル５００は、コネクタ２０に向かって相手側ハウジング４００を超えて突出していてもよい。この場合、嵌合端４２は、相手側シェル５００の−Ｘ側の端のみに位置する。
【００３５】
図６に示されるように、相手側ハウジング４００は、概ね、Ｙ方向に延びる角棒形状を有している。詳しくは、相手側ハウジング４００は、端面４０２と、２つの側部４０４とを有している。また、相手側ハウジング４００には、２つの保持部４１０が形成されている。端面４０２は、ＹＺ平面と平行な平面である。側部４０４は、相手側ハウジング４００のＺ方向における両側に夫々位置している。保持部４１０は、相手側ハウジング４００のＹ方向における両側に夫々位置している。
【００３６】
保持部４１０は、端面４０２から＋Ｘ方向に凹んだ凹みである。保持部４１０は、Ｙ方向外側に開口している。詳しくは、保持部４１０は、第１保持部４１２と、第２保持部４１４とから構成されている。第１保持部４１２は、端面４０２からＺ方向において広がりつつ＋Ｘ方向に凹んでおり、且つ、Ｙ方向外側に開口している。第２保持部４１４は、第１保持部４１２から＋Ｘ方向に更に凹んでおり、且つ、Ｙ方向外側に開口している。第２保持部４１４は、Ｙ方向外側の端部においてＺ方向外側にも開口している。
【００３７】
図６及び図７を参照すると、側部４０４の夫々には、２つの受け部４２０が形成されている。また、＋Ｚ側の側部４０４には、凹み４３０が形成されている。受け部４２０は、側部４０４のＹ方向における両端近傍に夫々設けられており、Ｚ方向内側に凹んでいる。凹み４３０は、側部４０４のＹ方向における中間部に設けられており、Ｚ方向内側に凹んでいる。更に、相手側ハウジング４００は、２つの凸部４４０を有している。凸部４４０は、相手側ハウジング４００のＹ方向における両側に夫々設けられており、Ｙ方向外側に突出している。
【００３８】
図６を参照すると、本実施の形態による相手側シェル５００は、１枚の金属板を折り曲げて形成されている。但し、相手側シェル５００は、複数の部材から形成されていてもよい。
【００３９】
相手側シェル５００は、２つの側板５０２を有している。側板５０２の夫々には、２つのバネ片５１０が形成されている。また、＋Ｚ側の側板５０２には、相手側キー５２０が形成されている。換言すれば、相手側コネクタ４０は、相手側キー５２０を備えている。バネ片５１０は、側板５０２のＹ方向における両端近傍に夫々設けられており、Ｚ方向内側に張り出している。相手側キー５２０は、側板５０２のＹ方向における中間部に設けられており、Ｚ方向内側に凹んでいる。更に、相手側シェル５００には、２つの切り欠き５３０が形成されている。切り欠き５３０は、相手側シェル５００のＹ方向における両側に夫々設けられている。
【００４０】
図６及び図１１を参照すると、相手側コンタクト６００は、Ｙ方向に配置されて、相手側ハウジング４００に保持されている。詳しくは、図１０に示されるように、相手側コンタクト６００の夫々は、接点部６１０と、バネ部６２０と、被保持部６３０と、接続部６４０とを有している。接点部６１０は、−Ｘ方向に突出した半球形状を有している。バネ部６２０は、接点部６１０をＸ方向に移動可能に弾性支持している。被保持部６３０は、バネ部６２０から＋Ｘ方向に延びている。接続部６４０は、被保持部６３０から＋Ｘ方向に更に延びている。
【００４１】
図１０、図１１及び図１４から理解されるように、被保持部６３０は、相手側ハウジング４００に圧入されて保持されている。図１２に示されるように、接続部６４０は、相手側コネクタ４０の使用時において、プリント配線板８６０に接続される。図６及び図１１を参照すると、接点部６１０は、相手側ハウジング４００の端面４０２を超えて外部に露出している。図１６を参照すると、相手側コネクタ４０がコネクタ２０と嵌合したとき、接点部６１０は、コネクタ２０の接点部２９２と夫々接触し、これにより、相手側コネクタ４０は、コネクタ２０と電気的に接続される。
【００４２】
図８に示されるように、磁石７００は、概ね四角の平板形状を有している。詳しくは、磁石７００は、嵌合側面７０２と、反対面７０４と、２つの斜面７０６とを有している。嵌合側面７０２と反対面７０４とは、Ｘ方向において互いに反対側に位置している。より具体的には、嵌合側面７０２は、磁石７００の−Ｘ側の面であり、Ｘ方向と直交している。反対面７０４は、磁石７００の＋Ｘ側の面であり、Ｘ方向と直交している。斜面７０６は、磁石７００のＺ方向における両側に夫々位置している。斜面７０６は、嵌合側面７０２から反対面７０４に向かってＺ方向外側に傾斜しつつ延びている。換言すれば、磁石７００は、所定平面（ＹＺ平面）において、嵌合側面７０２から反対面７０４に向かって広がっている。
【００４３】
図９に示されるように、ヨーク７５０は、概ね四角の平板形状を有している。詳しくは、ヨーク７５０は、嵌合側面７５２と、反対面７５４と、２つの張出部７５８とを有している。嵌合側面７５２と反対面７５４とは、Ｘ方向において互いに反対側に位置している。より具体的には、嵌合側面７５２は、ヨーク７５０の−Ｘ側の面であり、Ｘ方向と直交している。反対面７５４は、ヨーク７５０の＋Ｘ側の面であり、Ｘ方向と直交している。張出部７５８は、ヨーク７５０のＹ方向外側の端部に位置しており、Ｚ方向外側に突出している。
【００４４】
図６及び図７から理解されるように、磁石７００及びヨーク７５０は、相手側コンタクト６００が保持された相手側ハウジング４００に取り付けられている。詳しくは、まず、ヨーク７５０が、Ｙ方向に沿って第２保持部４１４に挿入される。これにより、ヨーク７５０は、相手側ハウジング４００に嵌め込まれて保持されている。次に、磁石７００が、Ｙ方向に沿って第１保持部４１２に挿入される。これにより、磁石７００の反対面７０４は、Ｘ方向において嵌合側面７０２とヨーク７５０との間に位置する。このとき、ヨーク７５０と磁石７００とは、Ｘ方向に並んでいる。特に、磁石７００は、ヨーク７５０よりも嵌合端４２側に位置している。
【００４５】
前述したように、磁石７００は、反対面７０４から嵌合側面７０２に向かって先細っている。換言すれば、磁石７００は、テーパ形状を有している。また、第１保持部４１２は、磁石７００のテーパ形状と対応した形状を有している。このため、磁石７００は、第１保持部４１２から−Ｘ方向に沿って抜け出さない。更に、第１保持部４１２に挿入された磁石７００は、磁力によってヨーク７５０に吸着されている。このため、相手側コネクタ４０に相手側シェル５００が取り付けられていない状態でも、磁石７００は、第１保持部４１２からＹ方向外側にも抜け出さない。
【００４６】
図６及び図７から理解されるように、本実施の形態において、磁石７００及びヨーク７５０の夫々は、四角の平板形状を有しているため、相手側ハウジング４００に嵌め込み易い。但し、磁石７００やヨーク７５０の形状は、本実施の形態に限られない。例えば、磁石７００は、Ｘ方向にテーパしつつ延びる円柱形状であってもよい。また、磁石７００やヨーク７５０の材料も、本実施の形態に限られない。例えば、ヨーク７５０の材料は、磁性体である限り金属でなくてもよい。更に、本実施の形態において、磁石７００の反対面７０４はヨーク７５０の嵌合側面７５２に吸着されて接触しているが、本発明は、これに限られない。例えば、反対面７０４は、嵌合側面７５２と離れて対向していてもよい。例えば、磁石７００とヨーク７５０との間に絶縁体からなる仕切り壁が設けられていてもよい。
【００４７】
図７及び図１１から理解されるように、相手側シェル５００は、磁石７００及びヨーク７５０が保持された相手側ハウジング４００に上方から取り付けられている。詳しくは、相手側シェル５００のバネ片５１０は、相手側ハウジング４００の受け部４２０に夫々受容され、切り欠き５３０は、凸部４４０と夫々係合している。また、相手側キー５２０は、凹み４３０に受容されている。相手側シェル５００は、相手側ハウジング４００を補強しており、且つ、磁石７００及びヨーク７５０の抜け落ちを防止している。
【００４８】
前述したように、本実施の形態による相手側シェル５００は、非磁性体からなる。このため、相手側シェル５００は、磁石７００に吸着されない。従って、相手側シェル５００を相手側ハウジング４００に取り付け易い。但し、相手側シェル５００は、磁性体であってもよい。また、相手側シェル５００は、相手側ハウジング４００を補強するだけでなく、グランドされていてもよい。一方、相手側コネクタ４０は、相手側シェル５００を備えていなくてもよい。
【００４９】
図１３及び図１４に示されるように、コネクタ２０と相手側コネクタ４０との嵌合状態において、コネクタ２０のキー３３０と相手側コネクタ４０の相手側キー５２０とが係合する。換言すれば、キー３３０及び相手側キー５２０は、コネクタ２０と相手側コネクタ４０との誤嵌合を防止するキーとして機能する。本実施の形態によれば、キー３３０が突起であり、相手側キー５２０が窪みである。但し、キー３３０が窪みであり、相手側キー５２０が突起であってもよい。また、キー３３０と相手側キー５２０とが位置的に対応している限り、キー３３０は、コネクタ２０のどの位置に設けられていてもよい。同様に、相手側キー５２０は、相手側コネクタ４０のどの位置に設けられていてもよい。更に、コネクタ２０は、キー３３０を備えていなくてもよく、相手側コネクタ４０は、相手側キー５２０を備えていなくてもよい。
【００５０】
図１６を参照すると、維持部材３００は、突出部３２２を有している。本実施の形態による突出部３２２は、側壁部３２０の一部であり、平面部３１０からＸ方向において前方に突出している。コネクタ２０と相手側コネクタ４０とが嵌合状態にあるとき、平面部３１０は、Ｘ方向において磁石７００と対向している。また、このとき、突出部３２２の一部は、Ｘ方向と直交する所定平面（ＹＺ平面）において磁石７００の側方に位置している。この構造により、磁石７００によって生じた磁束（ＭＦ）の一部は、平面部３１０と突出部３２２とを経由して磁石７００に回帰する。換言すれば、突出部３２２は、嵌合状態においてヨークとして機能し、これにより、維持部材３００と磁石７００との間の磁力が高められる。このため、コネクタ２０と相手側コネクタ４０との嵌合状態は、磁石７００が比較的小さい場合であっても、磁力によって確実に維持される。
【００５１】
更に、本実施の形態によれば、磁石７００の平面部３１０側と反対の側（＋Ｘ側）には、ヨーク７５０が配置されている。このため、維持部材３００と磁石７００との間の磁力が更に高められる。換言すれば、コネクタ２０と相手側コネクタ４０との嵌合状態は、更に確実に維持される。
【００５２】
本実施の形態によれば、突出部３２２のＸ方向におけるサイズ（Ｓ０）は、磁石７００のＸ方向におけるサイズ（Ｓ１）よりも小さい。このため、突出部３２２は、Ｘ方向において、磁石７００の反対面７０４までは延びていない。本発明によれば、このように突出部３２２が磁石７００の側方を完全に覆っていない場合であっても、維持部材３００と磁石７００との間の磁力を高めるという効果が得られる。換言すれば、本発明によれば、突出部３２２の少なくとも一部が、ＹＺ平面において磁石７００の側方に位置していればよい。但し、本発明による効果を確実に得るという観点からは、突出部３２２は、磁石７００の嵌合側面７０２を所定距離だけ超えて延びていることが好ましい。例えば、サイズ（Ｓ０）が、サイズ（Ｓ１）の１／２以上であれば十分である。サイズ（Ｓ０）は、サイズ（Ｓ１）以上であってもよい。
【００５３】
図１５及び図１６を参照すると、コネクタ２０と相手側コネクタ４０とが嵌合状態にあるとき、維持部材３００の側壁部３２０の一部は、所定平面（ＹＺ平面）において磁石７００を三方から囲んでいる。本実施の形態による突出部３２２は、側壁部３２０のうちの磁石７００を三方から囲む部位である。換言すれば、側壁部３２０のうちの磁石７００を三方から囲む部位は、嵌合状態においてヨークとして機能する。
【００５４】
図１５及び図１６から理解されるように、突出部３２２（即ち、側壁部３２０の少なくとも一部）が磁石７００を三方から囲むことで、維持部材３００と磁石７００との間の磁力は、更に高められる。但し、側壁部３２０は、磁石７００を三方から囲んでいなくてもよい。例えば、側壁部３２０は、磁石７００の上下に設けられていなくてもよい。換言すれば、突出部３２２は、側壁部３２０のうちのＸＺ平面上を延びる部位のみであってもよい。また、突出部３２２は、側壁部３２０とは別に設けられていてもよい。
【００５５】
図１及び図２を参照すると、本実施の形態による維持部材３００は、相手側コネクタ４０を受容したり、携帯機器８００に取り付けたりするために必要な部位である。本実施の形態によれば、嵌合状態の維持と異なる用途に必要な維持部材３００を、維持部材３００と磁石７００との間の磁力を高めるために利用できる。これにより、コネクタ２０のサイズを大きくすることなく磁力を高めることができる。
【００５６】
本発明は、以上に説明した効果に加えて、以下に記載するような様々な効果を有する。
【００５７】
図１０及び図１６を参照すると、相手側コネクタ４０の相手側コンタクト６００は、僅かな力によっても弾性変形し易い。このため、相手側コネクタ４０は、比較的小さな磁力によってコネクタ２０と嵌合できる。また、嵌合状態を維持するために必要な磁力も、比較的小さい。
【００５８】
図１６を参照すると、相手側コネクタ４０の嵌合端４２は、Ｘ方向において磁石７００の嵌合側面７０２を超えて、コネクタ２０に向かって突出している。このため、嵌合端４２は、嵌合状態において、コネクタ２０の平面部３１０と突き当たる。一方、磁石７００は、平面部３１０と突き当たらない。これにより、磁石７００の破損を防止できる。但し、維持部材３００と磁石７００との間の磁力を高めるという観点からは、磁石７００は、嵌合状態において、平面部３１０にできるだけ近づくことが好ましい。例えば、磁石７００が破損する可能性が低い場合、磁石７００は、嵌合状態において、平面部３１０に突き当たってもよい。
【００５９】
図１６を参照すると、コネクタ２０自身は磁力を発揮しない。このため、コネクタ２０にはゴミが付着しにくい。また、ハウジング２００は、非磁性体である。このため、図２を参照すると、相手側コネクタ４０がコネクタ２０に嵌合する際、嵌合端４２は、確実に受容部２２に受容される。
【００６０】
本発明は、既に説明した変形例に加えて様々に変形可能であり応用可能である。例えば、維持部材３００は、嵌合状態の維持に必要な磁性を有する限り、金属でなくてもよい。また、維持部材３００は、グランドされていてもよい。換言すれば、維持部材３００は、コネクタ２０のシェルであってもよい。
【符号の説明】
【００６１】
１０      コネクタ組立体
２０      コネクタ
２２      受容部
２００    ハウジング
２０２    端面
２１０    凸部
２２０    凹み
２５０    シール部材（テープ）
２９０    コンタクト
２９２    接点部
２９４    接続部
３００    維持部材
３１０    平面部
３１２    孔
３２０    側壁部
３２２    突出部
３３０    キー
３４０    フランジ
３５０    脚部
４０      相手側コネクタ
４２      嵌合端
４００    相手側ハウジング
４０２    端面
４０４    側部
４１０    保持部
４１２    第１保持部
４１４    第２保持部
４２０    受け部
４３０    凹み
４４０    凸部
５００    相手側シェル
５０２    側板
５１０    バネ片
５２０    相手側キー
５３０    切り欠き
６００    相手側コンタクト
６１０    接点部
６２０    バネ部
６３０    被保持部
６４０    接続部
７００    磁石
７０２    嵌合側面
７０４    反対面
７０６    斜面
７５０    ヨーク
７５２    嵌合側面
７５４    反対面
７５８    張出部
８００    携帯機器
８５０    プラグハーネス
８６０    プリント配線板
【図１】
0006362212.tif 000002
【図２】
0006362212.tif 000003
【図３】
0006362212.tif 000004
【図４】
0006362212.tif 000005
【図５】
0006362212.tif 000006
【図６】
0006362212.tif 000007
【図７】
0006362212.tif 000008
【図８】
0006362212.tif 000009
【図９】
0006362212.tif 000010
【図１０】
0006362212.tif 000011
【図１１】
0006362212.tif 000012
【図１２】
0006362212.tif 000013
【図１３】
0006362212.tif 000014
【図１４】
0006362212.tif 000015
【図１５】
0006362212.tif 000016
【図１６】
0006362212.tif 000017
【図１７】
0006362212.tif 000018